(57)【要約】【課題】搬送途中における洗濯物の詰まりを防止するとともに、より完全に皺を延ばすことができ、更には光沢があって見映えが良好なアイロン仕上げを行うことができる洗濯・脱水後の洗濯物に皺延ばしと乾燥のためのアイロンがけを行うベルト式のロールアイロナーを提供することを目的とする。【解決手段】回転駆動する複数の加熱ローラ３，４，５の外周に、それぞれ複数の送りローラを配置し、該複数の加熱ローラ３，４，５と送りローラ間に洗濯・脱水の終了した洗濯物Ｗを順次通過させることによって洗濯物Ｗを加熱ローラ３，４，５に圧接させてアイロンがけを行うロールアイロナーにおいて、１又は複数の加熱ローラにおける送りローラの１又は複数を強制的に回転駆動する駆動送りローラ８，９，１３，１４，１８とする。【選択図】図１
0003138085.tif 000002
【実用新案登録請求の範囲】
【請求項１】
回転駆動する加熱ローラに洗濯・脱水の終了した洗濯物を圧接させることによってアイロンがけを行うロールアイロナーにおいて、
加熱ローラの外周に強制的に回転駆動する駆動送りローラを配置したことを特徴としたロールアイロナー。
【請求項２】
回転駆動する加熱ローラに洗濯・脱水の終了した洗濯物を圧接させることによってアイロンがけを行うロールアイロナーにおいて、
加熱ローラの外周に複数の送りローラを配置し、送りローラの１又は複数を強制的に回転駆動する駆動送りローラとしたことを特徴としたロールアイロナー。
【請求項３】
回転駆動する加熱ローラの外周に複数の送りローラを配置し、該加熱ローラと送りローラ間に洗濯・脱水の終了した洗濯物を通過させることによって洗濯物を加熱ローラに圧接させてアイロンがけを行うロールアイロナーにおいて、
送りローラの１又は複数を強制的に回転駆動する駆動送りローラとしたことを特徴としたロールアイロナー。
【請求項４】
回転駆動する複数の加熱ローラの外周に、それぞれ複数の送りローラを配置し、該複数の加熱ローラと送りローラ間に洗濯・脱水の終了した洗濯物を順次通過させることによって洗濯物を加熱ローラに圧接させてアイロンがけを行うロールアイロナーにおいて、
１又は複数の加熱ローラにおける送りローラの１又は複数を強制的に回転駆動する駆動送りローラとしたことを特徴としたロールアイロナー。
【請求項５】
駆動送りローラを加熱ローラと同調させて回転駆動させる請求項１，２，３又は４記載のロールアイロナー。
【請求項６】
駆動送りローラを加熱ローラから独立した状態で回転駆動させる請求項１，２，３又は４記載のロールアイロナー。
【請求項７】
駆動送りローラを加熱ローラの回転方向とは逆の方向に回転駆動させる請求項１，２，３，４，５又は６記載のロールアイロナー。
【請求項８】
駆動送りローラを加熱ローラと異なる速度で回転駆動させる請求項１，２，３，４，５，６又は７記載のロールアイロナー。
【考案の詳細な説明】
【技術分野】
【０００１】
本考案は、洗濯・脱水後の洗濯物に皺延ばしと乾燥のためのアイロンがけを行うベルト式のロールアイロナーに関し、特には搬送途中における洗濯物の詰まりを防止するとともに、より完全に皺を延ばすことができ、更には光沢があって見映えが良好なアイロン仕上げを行うことができるものである。
【背景技術】
【０００２】
ホテル，旅館，病院，その他の各種宿泊施設等における使用後のシーツ，クロス，タオル，枕カバー，パジャマ，浴衣，ガウン等の各種リネン類は、リネン業者によって引き取られて、洗濯され、アイロンがけをし、所定の形状に折り畳まれて、再び納品される。このような業務用の洗濯ラインにおいて、洗濯・脱水の完了した洗濯物は、ベルト式のロールアイロナーによって、アイロンがけをして皺を延ばしている。
【０００３】
このロールアイロナーは、内部に１００℃〜２００℃程度の蒸気を導いて加熱したシリンダからなる複数個（例えば３〜６個）の加熱ローラの外周に、所定数のプレスローラと複数の送りローラが配置され、各加熱ローラ間に搬送コンベアが配置されて搬送経路が形成されている。そして、加熱ローラとプレスローラ及び送りローラ間に洗濯・脱水の終了した洗濯物を通過させることにより、洗濯物を加熱ローラに圧接させてアイロンがけを行う公知の装置である。
【０００４】
上記構成のロールアイロナーにおいて、各加熱ローラは駆動源からの動力によって強制回転駆動をしているが、プレスローラ及び各送りローラは全て従動ローラとして構成されており、送りローラ自体が強制的に回転駆動する構成となっていない。かかるロールアイロナーは皺を生じることなくアイロン仕上げを行うことが肝要であり、そのために従来より種々の改良が施されている。例えば、特許文献１によれば、病衣等の厚み寸法の変化が有り段差寸法の大きい洗濯物であってもシワを生じないようにするために、プレスローラにシワ防止用耐熱ベルトを掛け回す構成が開示されている。
【特許文献１】特開２００６−１３８０２２号公報
【考案の開示】
【考案が解決しようとする課題】
【０００５】
特許文献１は、シワ防止用耐熱ベルトを採用することにより、厚み寸法の変化が有り段差寸法の大きい洗濯物の皺の発生を防止するに留まる。そのため、従来例のロールアイロナーは専ら皺の発生が少ない状態で乾燥させることのみを目的とするに留まり、１枚１枚手でアイロン仕上げされた洗濯物に比べると小皺の残存が避けられず、光沢にも欠け、見映えが劣るものであった。また、従来のロールアイロナーは洗濯物の詰まりが多く発生し、そのたびに除去作業に時間を要し、作業効率を下げている問題点があった。
【０００６】
そこで本考案は上記従来の問題点に鑑みて、より完全に皺を延ばすことができ、光沢があって見映えが良好であるとともに、搬送途中における洗濯物の詰まりを防止してアイロン仕上げを行うことができるロールアイロナーを提供することを目的とするものである。
【課題を解決するための手段】
【０００７】
本考案は上記目的を達成するために、回転駆動する加熱ローラに洗濯・脱水の終了した洗濯物を圧接させることによってアイロンがけを行うロールアイロナーにおいて、加熱ローラの外周に強制的に回転駆動する駆動送りローラを配置したロールアイロナーを基本として提供する。また、加熱ローラの外周に複数の送りローラを配置し、送りローラの１又は複数を強制的に回転駆動する駆動送りローラとする。
【０００８】
更に、回転駆動する加熱ローラの外周に複数の送りローラを配置し、該加熱ローラと送りローラ間に洗濯・脱水の終了した洗濯物を通過させることによって洗濯物を加熱ローラに圧接させてアイロンがけを行うロールアイロナーにおいて、送りローラの１又は複数を強制的に回転駆動する駆動送りローラとする。或いは、回転駆動する複数の加熱ローラの外周に、それぞれ複数の送りローラを配置し、該複数の加熱ローラと送りローラ間に洗濯・脱水の終了した洗濯物を順次通過させることによって洗濯物を加熱ローラに圧接させてアイロンがけを行うロールアイロナーにおいて、１又は複数の加熱ローラにおける送りローラの１又は複数を強制的に回転駆動する駆動送りローラとする。
【０００９】
駆動送りローラを加熱ローラと同調させて回転駆動させる構成、駆動送りローラを加熱ローラから独立した状態で回転駆動させる構成、駆動送りローラを加熱ローラの回転方向とは逆の方向に回転駆動させる構成、駆動送りローラを加熱ローラと異なる速度で回転駆動させる構成を提供する。
【考案の効果】
【００１０】
本考案にかかるロールアイロナーによれば、加熱ローラとともに、送りローラを駆動送りローラとして強制的に回転駆動させるため、加熱ローラと駆動送りローラ間を通過する洗濯物は、加熱ローラと駆動送りローラの双方の強制的な回転力によって駆動送りローラに圧接した状態で通過することとなる。そのため、洗濯物は加熱ローラと駆動送りローラ間を通過する際に搬送速度が僅かではあるが向上することとなり、加熱ローラ上の駆動送りローラの存在しない箇所に位置している部分の洗濯物との間に搬送速度のずれが生じるため、洗濯物には張力が加味されることとなる。この張力によって洗濯物は洗濯物全域においてより完全に皺を延ばすことができ、更には光沢があって見映えが良好なアイロン仕上げを行うことができる。同時に、洗濯物に加味された駆動送りローラによる張力によって、搬送途中における洗濯物の詰まりを防止することもできる。即ち、強制的に回転駆動する駆動送りローラの回転力が洗濯物に加味されることにより、洗濯物は強制的に送り出され、延ばされ、圧迫されることとなるのである。
【考案を実施するための最良の形態】
【００１１】
以下、本考案にかかるロールアイロナーの最良の実施形態を説明する。図１は本考案にかかるロールアイロナー１の構成を概括的に示す説明図であり、基枠２の中に第１加熱ローラ３，第２加熱ローラ４，第３加熱ローラ５の３個の加熱ローラが配置されている。これらの各加熱ローラ３，４，５は、図示しない駆動源からの動力によって、第１加熱ローラ３と第３加熱ローラ５は時計方向に、第２加熱ローラ４は反時計方向にそれぞれ強制的に回転駆動しているとともに、内部に１００℃〜２００℃程度の蒸気が導かれて加熱されており、その構成は従来と同様である。なお、加熱ローラの個数は３個に限らず、必要に応じて設置個数を選択することが可能であり、一般的には２〜６個のものが多く使用されている。
【００１２】
６は投入コンベアであり、その終端が第１加熱ローラ３に臨んでエンドレスに回転駆動するように設置されており、洗濯・脱水の終了した洗濯物Ｗを載置して搬送し、第１加熱ローラ３に供給するものである。投入コンベア６近傍の第１加熱ローラ３の外周には、３個のプレスローラ７が配置されている。洗濯物Ｗは、第１加熱ローラ３とプレスローラ７の間に差し込まれ、プレスローラ７によって高温に加熱された第１加熱ローラ３に圧接されて皺が延ばされ、乾燥するようにアイロン掛けが行われる。このプレスローラ７の構成は従来採用されている公知のものと同様であり、適宜の鋼管を芯材として、その周囲にスプリングを設け、更にその外周をフェルト等の外包材を巻き付けて被覆した構成である。また、プレスローラの個数は３個に限ることなく、適宜の個数を選択するものである。
【００１３】
８，９は第１加熱ローラ３の外周に配置された駆動送りローラである。駆動送りローラ９は、モータ１０の回転動力がモータ１０の回転軸１０ａと駆動送りローラ９間に掛け渡した動力伝達手段１１を介して伝達されて反時計方向に回転駆動される。そして、駆動送りローラ８は、駆動送りローラ９との間に掛け渡された動力伝達手段１２によって、駆動送りローラ９の回転が伝達されて、駆動送りローラ９と同様に反時計方向に回転駆動される。
【００１４】
１３，１４は第２加熱ローラ４の外周に配置された駆動送りローラである。駆動送りローラ１３は、第１加熱ローラ３の回転軸３ａとの間に掛け渡された動力伝達手段１５を介して第１加熱ローラ３の回転力が伝達されて時計方向に強制的に回転駆動している。一方駆動送りローラ１４は、モータ１６の回転動力がモータ１６の回転軸１６ａと駆動送りローラ１４間に掛け渡した動力伝達手段１７を介して伝達されて時計方向に回転駆動される。
【００１５】
１８は第３加熱ローラ５の外周に配置された駆動送りローラであり、第１加熱ローラ３の駆動送りローラ９との間に掛け渡された動力伝達手段１９を介して駆動送りローラ９の回転力が伝達されて反時計方向に強制的に回転駆動している。なお、動力伝達手段１１，１２，１５，１７，１９は、ベルト，チェーンその他の動力伝達手段として公知のものから適宜選択すればよい。
【００１６】
第１加熱ローラ３と第２加熱ローラ４に対しては、それぞれ２個の駆動送りローラ８，９，１３，１４を、第３加熱ローラ５に対しては１個の駆動送りローラ１８を配置したが、その個数に限定はなく、加熱ローラのサイズに応じて１又は複数の個数を選択することができる。
【００１７】
そして、これらの駆動送りローラ８，９，１３，１４，１８は、その全部又は一部を加熱ローラ３，４，５の回転を動力源として、加熱ローラ３，４，５と同調させて回転駆動させ、又はその全部又は一部を加熱ローラ３，４，５から独立した状態で回転駆動させる。また、駆動送りローラ８，９，１３，１４，１８の回転方向は加熱ローラ３，４，５の回転方向と逆の方向に回転駆動させるようにする。そして、駆動送りローラ８，９，１３，１４，１８は加熱ローラ３，４，５より、やや早く或いはやや遅い、加熱ローラ３，４，５と異なる速度で回転駆動させることが適当である。
【００１８】
２０は第１加熱ローラ３の外周に、２１，２２は第２加熱ローラ４の外周に、２３，２４は第３加熱ローラ５の外周にそれぞれ配置された送りローラであり、それぞれ従動ローラとして構成されている。なお、これら送りローラ２０，２１，２２，２３，２４は洗濯物Ｗを円滑に搬送するための役割を果たすものであり、その個数や配置場所に限定はなく、洗濯物Ｗが搬送ラインから落下や脱落をすることがないように配置する。
【００１９】
２５は洗濯物Ｗを第１加熱ローラ３から第２加熱ローラ４へ乗り移らせるための搬送コンベアであり、第１加熱ローラ３から第２加熱ローラ４に向けてエンドレスに回転駆動している。２６は洗濯物Ｗを第２加熱ローラ４から第３加熱ローラ５へ乗り移らせるための搬送コンベアであり、送りローラ２７によって搬送方向が第２加熱ローラ４と平行な方向から、第３加熱ローラ５の方向に変換されて、第２加熱ローラ４から第３加熱ローラ５に向けてエンドレスに回転駆動している。
【００２０】
なお、プレスローラ７と駆動送りローラ８，９，１３，１４，１８及び送りローラ２０，２１，２２，２３，２４との相違は、プレスローラ７が適宜の鋼管を芯材として、その周囲にスプリングを設け、更にその外周をフェルト等の外包材を巻き付けて被覆した構成であるのに対し、駆動送りローラ８，９，１３，１４，１８及び送りローラ２０，２１，２２，２３，２４は所定径の鋼管のみから構成されている点にあり、駆動送りローラ８，９，１３，１４，１８及び送りローラ２０，２１，２２，２３，２４によっても洗濯物Ｗは加熱ローラ３，４，５に密着・圧接されつつ搬送される。更に、プレスローラ７を適宜の駆動源を利用して、加熱ローラ３，４，５と反対方向に強制駆動するようにしてもよい。
【００２１】
次に本考案にかかるロールアイロナー１を使用して洗濯・脱水の終了した洗濯物Ｗに皺延ばしと乾燥のためのアイロンがけを行う工程を説明する。先ず洗濯・脱水の終了した洗濯物Ｗは投入コンベア６上に載置され、投入コンベア６の回転駆動によって、図１の矢印ａに示すように、先頭のプレスローラ７と時計方向に回転している第１加熱ローラ３との間に差し込まれ、矢印ｂに示すように、その間を通過しながら３個のプレスローラ７によって順次高温に加熱された第１加熱ローラ３に密着・圧接されて皺が延ばされ、乾燥するようにアイロン掛けが行われる。
【００２２】
次に、矢印ｃに示すように時計方向に回転する第１加熱ローラ３と、反時計方向に強制的に回転駆動している駆動送りローラ８との間に搬送され、洗濯物Ｗは第１加熱ローラ３と駆動送りローラ８の双方の回転力を受けて進行方向に押し出され、更に第１加熱ローラ３と反時計方向に回転駆動している駆動送りローラ９の双方の回転力によって、矢印ｄに示すように進行方向に強制的に押し出される。その後洗濯物Ｗは送りローラ２０との間を通過して、第１加熱ローラ３から第２加熱ローラ４に乗り換えるため、矢印ｅに示すように搬送コンベア２５上に載置されて第２加熱ローラ４の方向に搬送される。
【００２３】
次に、洗濯物Ｗは、矢印ｆに示すように反時計方向に回転している第２加熱ローラ４と、第１加熱ローラ３の回転力によって時計方向に回転駆動している駆動送りローラ１３との間に差し込まれ、双方の回転力によって進行方向に押し出される。その後第２加熱ローラ４と時計方向に回転駆動している駆動送りローラ１４の双方の回転力によって、矢印ｇに示すように進行方向に強制的に押し出される。そして、送りローラ２１，２２を介して矢印ｈに示すように、搬送コンベア２６に乗り移り、送りローラ２７を介して搬送方向が矢印ｉに示すように第３加熱ローラ５の方向に変更され、矢印ｊに示すように第３加熱ローラ５に向けて搬送コンベア２６上を搬送される。
【００２４】
そして、時計方向に回転している第３加熱ローラ５と、反時計方向に回転駆動している駆動送りローラ１８との間に差し込まれ、第３加熱ローラ５と駆動送りローラ１８の双方の回転力によって矢印ｋに示すように進行方向に強制的に押し出される。その後、矢印ｌに示すように送りローラ２３，２４を介して第３加熱ローラ５を通過し、矢印ｍに示すように出口に至る。
【００２５】
洗濯物Ｗは、第１加熱ローラ３，第２加熱ローラ４，第３加熱ローラ５に密接しながら搬送されることにより、乾燥とアイロンがけが行われる。このアイロンがけの工程において加熱ローラ３，４，５と駆動送りローラ８，９，１３，１４，１８の双方の回転力によって洗濯物Ｗを進行方向に送り出すため、加熱ローラ３，４，５の回転力のみによって進行方向に送り出す従来のロールアイロナーに比較して、駆動送りローラ８，９，１３，１４，１８の回転力が洗濯物Ｗに働き、洗濯物Ｗに張力が働くため、洗濯物Ｗは小皺が発生せず、より艶のある見映えのよい状態のアイロンがけをほどこすことができる。
【００２６】
即ち、送りローラを駆動送りローラ８，９，１３，１４，１８として強制的に回転駆動させるため、加熱ローラ３，４，５と駆動送りローラ８，９，１３，１４，１８間を通過する洗濯物は、加熱ローラ３，４，５と駆動送りローラ８，９，１３，１４，１８の双方の強制的な回転力によって駆動送りローラに圧接した状態で通過することとなる。そのため、洗濯物は加熱ローラ３，４，５と駆動送りローラ８，９，１３，１４，１８間を通過する際に搬送速度が僅かではあるが変化することとなり、加熱ローラ３，４，５上の駆動送りローラ８，９，１３，１４，１８の存在しない箇所に位置している部分の洗濯物Ｗとの間に搬送速度のずれが生じるため、洗濯物Ｗには張力が加味されることとなる。この張力によって洗濯物Ｗは、引っ張られたり、押されたり、圧迫されたりするため、洗濯物Ｗ全域においてより完全に皺を延ばすことができ、更には光沢があって見映えが良好なアイロン仕上げを行うことができる。
【００２７】
同時に、洗濯物に加味された駆動送りローラによる張力によって、搬送途中における洗濯物の詰まりを防止することもできる。即ち、強制的に回転駆動する駆動送りローラの回転力が洗濯物に加味されることにより、洗濯物は強制的に送り出され、延ばされ、圧迫されることとなる。
【００２８】
本考案にかかるロールアイロナー１を使用して実際にホテルのシーツ，浴衣，ナフキンを使用して実験をしてみたところ、従来より皺がより延びて、光沢のあるつややかな見映えのよい仕上がりとなった。即ち、アイロンがけ後の洗濯物Ｗは、小皺がなく、視覚的にも滑らかで光沢があり、輝きを放っているように感じられた。また、手触りもつるっとした滑らかさがあり、完全に乾燥した清潔感にあふれるものであった。また、詰まりの発生が少なく、作業効率が向上した。
【産業上の利用可能性】
【００２９】
以上詳細に説明したように、本考案にかかるロールアイロナーによれば、加熱ローラとともに、送りローラを駆動送りローラとして強制的に回転駆動させるため、加熱ローラと反対方向に強制駆動される駆動送りローラによる張力が洗濯物に加味されるため、洗濯物全域においてより完全に皺を延ばすことができ、更には光沢があって見映えが良好なアイロン仕上げを行うことができる。また、搬送される洗濯物に張力がかかるため、搬送途中における洗濯物の詰まりが少なくなり、詰まった洗濯物の除去作業の時間が減少して作業効率が向上し、処理量を増加させることもできる。
【図面の簡単な説明】
【００３０】
【図１】本考案にかかるロールアイロナーの構成を概括的に示す説明図。
【符号の説明】
【００３１】
１…ロールアイロナー
２…基枠
３…第１加熱ローラ
４…第２加熱ローラ
５…第３加熱ローラ
６…投入コンベア
８，９，１３，１４，１８…駆動送りローラ
１１，１２，１５，１７，１９…動力伝達手段
【図１】
0003138085.tif 000003